(57)【要約】  本発明は、美容用、化粧用、またはケア用の製品（Ｐ）を睫毛および／または眉毛に塗布するためのアプリケータ（２）に関し、このアプリケータは、成形されたアプリケータ部材（８）を有し、この成形されたアプリケータ部材（８）は、−  長手方向軸（Ｘ）に沿って延びるコア（１０）と、−  前記コア（１０）によって担持され、複数の長手方向列に配置される二重スパイク（１８）とを有し、  二重スパイク（１８）はそれぞれ、２つのアームを分離する陥凹部を有し、  スパイク（１８）の少なくとも１つの第１の長手方向列は、第２の長手方向列に対して軸方向にオフセットされる。
2017529976.tif 000002
【特許請求の範囲】
【請求項１】
美容用、化粧用、またはケア用の製品（Ｐ）を睫毛および／または眉毛に塗布するためのアプリケータ（２）であって、成形されたアプリケータ部材（８）を有し、前記成形されたアプリケータ部材（８）が、
−  長手方向軸（Ｘ）に沿って延びるコア（１０）と、
−  前記コア（１０）によって担持され、複数の長手方向列（１７、１９）に配置される二重スパイク（１８）と、
を有し、
前記二重スパイク（１８）がそれぞれ、２つのアーム（１８ａ、１８ｂ）を分離する陥凹部（１３）を有し、
スパイク（１８）の少なくとも１つの第１の長手方向列（１７）が、第２の長手方向列（１９）に対して軸方向にオフセットされる、アプリケータ。
【請求項２】
前記二重スパイク（１８）の前記２つのアーム（１８ａ、１８ｂ）間の間隔（ｅｂ）が、１ｍｍから２．５ｍｍの間である、請求項１に記載のアプリケータ。
【請求項３】
各スパイク（１８）の前記陥凹部（１３）の深さ（Ｐｅ）が、０．５ｍｍから２．５ｍｍの間である、請求項１または２に記載のアプリケータ。
【請求項４】
前記スパイク（１８）の中の前記陥凹部（１３）の深さ（Ｐｅ）と前記スパイク（１８）の高さ（ｈｂ）との比率Ｐｅ／ｈｂが、０．０９から０．３５の間である、請求項１から３のいずれか一項に記載のアプリケータ。
【請求項５】
前記二重スパイク（１８）がそれぞれ、前記二重スパイク（１８）の２つのアーム（１８ａ、１８ｂ）を結び付けており前記コア（１０）から突出している基部（１８ｃ）を有し、前記基部（１８ｃ）の高さ（ｈｃ）が、０．２ｍｍから２．２５ｍｍの間である、請求項１から４のいずれか一項に記載のアプリケータ。
【請求項６】
各二重スパイク（１８）の中の前記陥凹部（１３）が、平坦な底部を有する、請求項１から５のいずれか一項に記載のアプリケータ。
【請求項７】
各二重スパイク（１８）の前記２つのアーム（１８ａ、１８ｂ）が、前記スパイク（１８）の中央平面（Ｍ）に関して互いに対称である、請求項１から６のいずれか一項に記載のアプリケータ。
【請求項８】
前記二重スパイク（１８）が、前記アプリケータ部材（８）において長手方向に配向される、請求項１から７のいずれか一項に記載のアプリケータ。
【請求項９】
スパイク（１８）の各長手方向列（１７）が、隣接する前記長手方向列（１９）に対して軸方向にオフセットされる、請求項１から８のいずれか一項に記載のアプリケータ。
【請求項１０】
１つおきの長手方向列における同じ階層の前記二重スパイク（１８）が、前記コア（１０）の前記長手方向軸（Ｘ）に沿って同じ軸位置を占める、請求項１から９のいずれか一項に記載のアプリケータ。
【請求項１１】
スパイク（１８）の１つの長手方向列（１７）と、隣接する前記長手方向列（１９）との間の軸方向のオフセット（Ｄａ）が、スパイク（１８）の幅（ｌｐ）の４分の１から４分の３の間であり、好ましくは、スパイクの幅の約５分の２に等しい、請求項１から１０のいずれか一項に記載のアプリケータ。
【請求項１２】
前記長手方向列（１７、１９）が、直線状である、請求項１から１１のいずれか一項に記載のアプリケータ。
【請求項１３】
製品（Ｐ）をパッケージ化し、睫毛および／または眉毛に塗布するための用具（１）であって、請求項１から１２のいずれか一項に記載のアプリケータ（２）と、塗布される前記製品（Ｐ）を収容する容器（３）と、を有する、用具。
【発明の詳細な説明】
【技術分野】
【０００１】
本発明は、美容用、化粧用、またはケア用の製品、たとえば、マスカラを睫毛および／または眉毛に塗布するためのアプリケータに関する。
【０００２】
本発明はまた、塗布されることになる製品を収容し、好ましくはしごき部材を備えている容器と、アプリケータとを有する用具に関する。
【背景技術】
【０００３】
二重スパイクを有するアプリケータは、米国特許出願公開第２００７／００６２５５２号および米国特許出願公開第２００７／００６２５５１号により知られている。
【先行技術文献】
【特許文献】
【０００４】
【特許文献１】米国特許出願公開第２００７／００６２５５２号
【特許文献２】米国特許出願公開第２００７／００６２５５１号
【特許文献３】国際公開第２００６／０９０３４３号
【発明の概要】
【発明が解決しようとする課題】
【０００５】
製品、具体的にはマスカラを睫毛および／または眉毛に塗布するためのアプリケータをさらに改善して、その性能を改善し、より具体的には製品をよりたっぷり含む範囲をアプリケータ部材上に生成するのを促進することの必要があり、それにより、睫毛および／または眉毛を分離するのに満足のいく能力を維持すると同時に、容易に化粧を施すこと、ならびに睫毛および／または眉毛に迅速かつ潤沢に載せることが可能になる。
【課題を解決するための手段】
【０００６】
本発明は、この目的に合致することを目的とし、その態様のうちの１つによるその主題は、美容用、化粧用、またはケア用の製品を睫毛および／または眉毛に塗布するためのアプリケータであり、このアプリケータは、成形されたアプリケータ部材を有し、この成形されたアプリケータ部材は、
−  長手方向軸に沿って延びるコアと、
−  コアによって担持され、複数の長手方向列に配置される二重スパイクと
を有し、
二重スパイクはそれぞれ、２つのアームを分離する陥凹部を有し、二重スパイクの少なくとも１つの第１の長手方向列は、二重スパイクの第２の長手方向列に対して軸方向にオフセットされる。
【０００７】
本発明は、アプリケータ部材において、具体的には各二重スパイクの２つのアーム間の陥凹部によって生み出される比較的大きい空間に、リザーバを形成する少なくとも１つの範囲を得ることを可能にし、前記範囲の内容物は、アプリケータが引き抜かれる間にほとんど空にならず、したがって、製品の余剰分が、しごき後のコアの全長に沿って、すべての側面に与えられる。この製品の余剰分により、睫毛および／または眉毛に、多量で満足のいく量の製品を最初の塗布から載せることが可能になる。
【０００８】
化粧を施す間、二重スパイクの２つのアーム間に生み出される空間は、具体的には睫毛および／または眉毛が中に浸潤することにより、その内容物が徐々に空になる。したがって、ユーザが、アプリケータを容器の中に挿入し直すことによってそのアプリケータに頻繁に載せ直さなくても、睫毛および／または眉毛は、適切に製品でカバーされる。その上、載せる製品量は多いにも関わらず、本発明によるアプリケータは、二重スパイクの長手方向列間の軸方向のオフセットにより、塊の形成を防いで、睫毛および／または眉毛を分離することを可能にする。
【０００９】
睫毛および／眉毛はまた、それらが、二重スパイクの中の陥凹部の基部において二重スパイクのアーム間に置かれるので、満足のいくようにカールされ得る。
【００１０】
二重スパイクの中の陥凹部の深さは、しごき後、アプリケータに製品が載せられるレベルを調整するために、製造中に変更可能である。
【００１１】
「コアの長手方向軸（ｌｏｎｇｉｔｕｄｉｎａｌ  ａｘｉｓ  ｏｆ  ｔｈｅ  ｃｏｒｅ）」という表現は、コアの横断面の質量中心のすべてを結ぶ線を示す。長手方向軸は、具体的にはコアが、円形横断面または正多角形の全体形状における横断面を有するとき、コアの中心軸であっても、または対称軸であってもよい。コアの長手方向軸は、直線状であっても、または湾曲していてもよく、コアの横断面の一部、またはすべての対称平面であってもよい平面に含まれていることができる。好ましくは、コアの長手方向軸は、直線状である。
【００１２】
「スパイク（ｓｐｉｋｅ）」という用語は、睫毛および／または眉毛とかみ合うことを意図した個別化可能な突出要素を示す。
【００１３】
「長手方向列を軸方向にオフセットする（ａｘｉａｌｌｙ  ｏｆｆｓｅｔ  ｌｏｎｇｉｔｕｄｉｎａｌ  ｒｏｗｓ）」という表現は、これらの列における同じ階層の二重スパイクが、コアの長手方向軸に沿って同じ位置を占めないことを意味すると理解すべきである。
【００１４】
コアおよびスパイク
二重スパイクの２つのアーム間の間隔は、陥凹部の中ほどの各アームの中央平面間の、スパイクの延伸軸に垂直に測定され、有利には、１ｍｍから２．５ｍｍの間、具体的には１．７ｍｍに等しい。「スパイクの延伸軸（ｅｌｏｎｇａｔｉｏｎ  ａｘｉｓ  ｏｆ  ｔｈｅ  ｓｐｉｋｅ）」という表現は、スパイクの横断面の質量中心を貫通する軸を示す。
【００１５】
好ましくは、二重スパイクの２つのアームは、同じ長さである。１つの変形形態においては、二重スパイクの２つのアームは、異なる長さである。
【００１６】
二重スパイクの高さは、１ｍｍから４ｍｍの間、さらに好ましくは、１．５ｍｍから３．２５ｍｍの間とすることができる。「二重スパイクの高さ（ｈｅｉｇｈｔ  ｏｆ  ａ  ｄｏｕｂｌｅ  ｓｐｉｋｅ）」という表現は、より高いアームの自由端と、二重スパイクがコアに結合された基部との間の二重スパイクの延伸軸に沿って測定される距離を示す。
【００１７】
好ましくは、各二重スパイクの中の陥凹部の深さは、前記スパイクのより高いアームの高さ未満である。
【００１８】
「陥凹部の深さ（ｄｅｐｔｈ  ｏｆ  ｔｈｅ  ｒｅｃｅｓｓ）」という表現は、スパイクのより高いアームの自由端と陥凹部の底部との間の二重スパイクの延伸軸に沿って測定される距離を示す。
【００１９】
スパイクの中の陥凹部の深さと前記スパイクの高さとの比率は、０．０９から０．３５の間、さらに好ましくは、０．１１から０．３の間とすることができる。
【００２０】
好ましくは、二重スパイクの中の陥凹部の深さは、０．５ｍｍから２．５ｍｍの間、さらに好ましくは、０．７ｍｍから２ｍｍの間である。
【００２１】
二重スパイクの基部の高さは、陥凹部の底部と、前記基部がコアに取り付けられている点との間のスパイクの延伸軸に沿って測定され、０．５ｍｍから４ｍｍの間、さらに好ましくは、０．８ｍｍから２．７５ｍｍの間とすることができる。コアと陥凹部との間に位置付けられている非ゼロ高さの二重スパイクの基部は、しごきリップを押しのけ、二重スパイクの列間に、二重スパイクを中心として、コアにおいて製品を維持することを可能にする。
【００２２】
コアの長手方向軸をその中心として有しており、コアの長手方向軸に垂直な横断面において最大高さの基部の上面を通る、外接円の直径と、しごき部材のリップによって画定される開口部の直径との比率は、０．７５から１．１５の間とすることができる。
【００２３】
好ましくは、二重スパイクの高さは、たとえば、コアの長手方向軸に沿って単調な形で変動する。有利には、長手方向列における二重スパイクの高さは、コアの遠位端の方向に、具体的にはアプリケータ部材の長さの少なくとも半分に沿って減少する。１つの変形形態においては、二重スパイクの高さは、コアの長手方向軸に沿って一定である。
【００２４】
種々の高さの二重スパイクの１つの長手方向列内では、すべてのスパイクのアームは、同じ長さとすることができ、それは、スパイクの高さにおいて変動する、かつ変動をもたらす、基部の高さである。
【００２５】
したがって、スパイクの中の陥凹部の深さは、列に沿って一定とすることができる。
【００２６】
一変形形態においては、この深さは、たとえば、アプリケータ部材の長さの半分未満に沿って変動する。
【００２７】
アプリケータ部材のスパイクのアームの自由端は、アプリケータ部材の包絡表面を画定し、この包絡表面は、たとえば、その長さの少なくとも一部に沿う回転円柱の形態にある。
【００２８】
包絡表面は、アプリケータ部材の長さの少なくとも一部に沿って、具体的には二重スパイクを担持するコアの半分を超える一部に沿って、実質的に一定である最大横断方向寸法を有することができる。
【００２９】
包絡表面はまた、アプリケータ部材の長さのすべてまたは一部に沿って変動する横断面を有することができる。包絡表面の横断面は、たとえば、１つまたは複数の極点、たとえば、少なくとも１つの局所最小点と２つの局所最大点とを有することができる。最小高さのスパイクのアームの上面を通る包絡表面の直径は、３．７５ｍｍから７．５ｍｍの間とすることができ、具体的には約５ｍｍに等しい。最大高さのスパークのアームの上面を通るアプリケータ部材の包絡表面の直径は、５ｍｍから１１ｍｍの間とすることができ、たとえば、約７．７ｍｍに等しい。
【００３０】
各スパイクの中の陥凹部は、平坦な底部を有することができる。１つの変形形態においては、スパイクの中の陥凹部は、丸い底部、具体的にはアームの自由端に向いて凹面を有する。
【００３１】
少なくとも１つの二重スパイクは、スパイクがコアに取り付けられている点におけるコアの表面に垂直な延伸軸に沿ってコアから延び得る。好ましくは、二重スパイクはそれぞれ、スパイクがコアに取り付けられている点において、コアの表面に垂直な延伸軸に沿ってコアから延びる。
【００３２】
一変形形態においては、二重スパイクの延伸軸は、スパイクがコアに取り付けられている点において、コアの表面と９０°以外の角度を形成する。
【００３３】
二重スパイクは、平坦な横断面を有することができ、言い換えれば、二重スパイクは、その高さの少なくとも一部にわたって、具体的にはその基部において、その延伸方向に垂直に取られる横断面を有し、その横断面は、平坦化平面において細長い形状を有し、厚いというよりは広い。スパイクの平坦化平面は、コアの長手方向軸とゼロ角度を形成することができ、有利には、二重スパイクは、中央平面がコアの長手方向軸を含んで、アプリケータ部材に長手方向に沿って配向される。１つの変形形態においては、スパイクの平坦化平面は、コアの長手方向軸と２５°から８０°の間の角度を形成する。
【００３４】
アプリケータ上のいくつかの二重スパイク、またはすべての二重スパイクですら、厚さは、０．２ｍｍから１．１ｍｍの間であっても、さらに好ましくは、０．３ｍｍから０．７ｍｍの間であってもよく、前記厚さは、具体的には約０．５ｍｍに等しい。「スパイクの厚さ（ｔｈｉｃｋｎｅｓｓ  ｏｆ  ａ  ｓｐｉｋｅ）」という表現は、断面において、スパイクの延伸軸に垂直にスパイクの最大横断方向寸法を示す。
【００３５】
アプリケータ上のいくつかの二重スパイク、またはすべての二重スパイクですら、幅は、１．１ｍｍから３ｍｍの間であっても、さらに好ましくは、１．６ｍｍから２．５ｍｍの間であってもよく、前記幅は、具体的には約２．２ｍｍに等しい。
【００３６】
好ましくは、各二重スパイクのアームは、その延伸軸を含む、スパイクの中央平面に関して互いに対称である。１つの変形形態においては、１つの、同じ二重スパイクのアームは、スパイクの中央平面に関して非対称であり、具体的には異なる長さを有する。
【００３７】
二重スパイクのアームは、任意の形状を有することができる。アームは、具体的には六角形の基部付きの円柱形、または先細り、具体的には円錐形、半円錐形、円錐台形、もしくはピラミッド形の形状を有することができる。スパイクのアームは、非対称の形状を有してもよく、それぞれが、第１の、具体的には平坦な形状を有する第１の面、および第２の、たとえば、非平坦な、具体的には丸い形状を有する第２の面を有する。
【００３８】
有利には、二重スパイクのアームは、直線状である。
【００３９】
好ましくは、二重スパイクの、その基部における横断面は、略長方形の形状を有する。
【００４０】
スパイクの少なくとも１つのアームは、丸い、具体的には半球形の自由端によって終端され得、その半径は、０．０６ｍｍから０．２ｍｍの間とすることができ、具体的には約０．１５ｍｍに等しい。
【００４１】
有利には、スパイクの長手方向列は、直線状である。
【００４２】
好ましくは、スパイクの各長手方向列は、続く長手方向列に対して軸方向にオフセットされる。
【００４３】
１つおきの長手方向列における二重スパイクはすべて、コアの長手方向軸に沿って同じ軸位置にあってよい。
【００４４】
長手方向列の数は、偶数とすることができる。
【００４５】
有利には、スパイクの１つの長手方向列と、続く長手方向列との間の軸方向のオフセットは、二重スパイクの幅の４分の１から４分の３の間であり、具体的には二重スパイクの幅の約５分の２に等しい。
【００４６】
１つの、同じ長手方向列内では、階層ｎとｎ＋１の２つの二重スパイク間の間隔は、これらの２つの連続した二重スパイクの２つの面するアーム間の、列の長手方向軸に沿って測定され、０．５ｍｍから２．５ｍｍｍの間、さらに好ましくは、１ｍｍから２ｍｍの間とすることができ、具体的には約１．２ｍｍに等しい。
【００４７】
コアは、任意の、具体的には円形の形状を有する、その長手方向軸に垂直に取られる横断面を有することができる。コアの最大横断面、つまり、コアの横断面が円形の形状を有する場合におけるその直径は、１．５ｍｍから３．２ｍｍの間とすることができ、具体的には約２．９ｍｍに等しい。
【００４８】
コアおよび二重スパイクは、１つの、同じ材料から成形され得、または一変形形態においては、少なくとも２つの相異なる材料から作製され得る。本発明の実装形態例においては、二重スパイクは、コアにオーバーモールドすることによって製作される。
【００４９】
好ましくは、コアおよび／または二重スパイクは、熱可塑性材料から製作される。
【００５０】
アプリケータ
アプリケータは、第１の端部においてアプリケータ部材を担持しており、第２の端部において把持部材に固定されている、ステムを有することができる。
【００５１】
コアは、中実とすることができ、たとえば、アプリケータのステムに固定するための端部片とともに成形される。
【００５２】
アプリケータ部材は、スナップ留め、接着剤接合、溶着、圧着、加圧、ステープリング、圧力嵌め、低温状態嵌め、または高温状態嵌めによって、たとえば、ステムの中の筐体に実装されるアプリケータ部材の端部片によって、ステムに固定され得る。一変形形態においては、ステムは、コアに設けられる筐体において受け入れられる。
【００５３】
また、ステムおよびアプリケータ部材を、一体に、同じ熱可塑性材料から成形することも、または成形しないことも可能である。
【００５４】
二重スパイクは、コアが取り付けられているアプリケータのステムを製作するのに使用される材料よりも高剛性または低剛性の材料で作製され得る。
【００５５】
コアは、長手方向軸に沿って延びることができ、その長手方向軸は、その長さに沿って少なくとも１つの点において、コアが固定されるステムの長手方向軸と非ゼロ角度を形成する。アプリケータ部材は、ステムへのその取付け時に角度付けされ得る。
【００５６】
ステムは、第１の剛性部分を有することができ、この第１の剛性部分は、アプリケータ部材を担持する、たとえばエラストマ製の、第２のより可撓性の部分によって遠位側において延びている。
【００５７】
アプリケータ部材の可視長は、１５ｍｍから３５ｍｍの間、さらに好ましくは、２２ｍｍから２９ｍｍの間とすることができ、たとえば、約２４．５ｍｍに等しい。
【００５８】
アプリケータは、６０個から２４０個の二重スパイク、たとえば、８４個から１６８個の二重スパイクを有することができる。
【００５９】
ステムを起点とするコアの長手方向軸に沿って最初の二重スパイクは、コアの近位端から非ゼロ、具体的には０．２ｍｍから０．５ｍｍの間の距離において配置され得る。ステムを起点とするコアの長手方向軸に沿って最後の二重スパイクは、コアの遠位端から非ゼロ、具体的には０．３ｍｍから０．８ｍｍの間の距離において配置され得る。
【００６０】
塗布用具
本発明のさらなる主題は、製品をパッケージ化し、睫毛および／または眉毛に塗布するための用具であり、この用具は、上に定義される、本発明によるアプリケータと、塗布されることになる製品を収容する容器とを有する。
【００６１】
アプリケータの把持部材は、容器を閉じるためのキャップを形成することができる。
【００６２】
容器は、ステムおよびアプリケータ部材をしごくのに適しているしごき部材を有することができる。
【００６３】
好ましくは、製品は、マスカラである。
【００６４】
本発明は、その限定していない実装形態例の以下の詳細な説明を読むことにより、および添付の図面を参照すると、より良く理解され得る。
【図面の簡単な説明】
【００６５】
【図１】本発明により製作される例示的なパッケージ化／塗布用具の、部分的に長手方向断面における概略的立面図である。
【図２】図１からのアプリケータ部材の、それ自体における透視図である。
【図２Ａ】図２からのアプリケータ部材の詳細を示す図である。
【図３】図２からのアプリケータ部材の詳細の長手方向断面における図である。
【図４】図２からのアプリケータ部材のＩＶ〜ＩＶに沿った断面図である。
【図５】図１からのパッケージ化／塗布用具の容器からアプリケータ部材を引き抜いた図である。
【発明を実施するための形態】
【００６６】
図１は、本発明により製作されるパッケージ化／塗布用具１を示し、このパッケージ化／塗布用具１は、アプリケータ２と、睫毛および／または眉毛に塗布されることになる製品Ｐ、たとえば、マスカラまたはケア用製品を収容する関連の容器３とを有する。
【００６７】
容器３は、本例においては、ねじ山付きネック４を有し、アプリケータ２は、容器３をそれが使用されていないときに封止された形で閉じるようにするために、ネック４において固定されるように設計されているクロージャキャップ５を有し、クロージャキャップ５はまた、アプリケータ２に対する把持部材を形成する。
【００６８】
アプリケータ２は、長手方向軸Ｙのステム７を有し、このステム７は、その上方端においてクロージャキャップ５に、およびその下方端においてアプリケータ部材８に取り付けられている。アプリケータ部材８は、コア１０を有し、このコア１０は、コア１０から、コア１０を中心として全面的に延びる二重スパイク１８を担持する。図２においてわかるように、ステム７を起点とするコア１０の長手方向軸Ｘに沿って最初の二重スパイク１８は、コアの近位端１１から非ゼロ、たとえば、約０．３５ｍｍに等しい距離ｄｔにおいて配置される。ステム７を起点とするコア１０の長手方向軸Ｘに沿って最後の二重スパイク１８は、コア１０の遠位端１２から非ゼロ、たとえば、約０．５５ｍｍに等しい距離ｄｄにおいて配置される。
【００６９】
容器３はまた、ネック４の中に挿入されるしごき部材６を有する。
【００７０】
このしごき部材６は、任意の適切なタイプのものとすることができ、本例においては、アプリケータ２が容器３から引き出されるとき、ステム７およびアプリケータ部材８をしごくように設計されているリップを有する。リップは、直径φａをステム７の直径に適合させたしごき開口部６ａを画定する。しごき部材６は、エラストマで作製され得る。しごき開口部６ａは、たとえば、円形の形状を有する。
【００７１】
しごき開口部６ａの直径φａは、通常、３ｍｍから５．７５ｍｍの間であり、たとえば、約４．５ｍｍまたは５．２ｍｍである。
【００７２】
示されている例においては、ステム７は、円形の横断面を有するが、ステム７が何らかの他の断面を有する場合には、これは、本発明の範囲から逸脱するものではなく、必要に応じて、ねじ締め以外の何らかのやり方で、容器３上のキャップ５を固定することが可能である。しごき部材６は、適宜、ステム７の形状およびアプリケータ部材８の形状に適合される。
【００７３】
好ましくは、本例のように、ステム７の長手方向軸Ｙは、直線状であり、アプリケータ２がその上の定位置にあるときには、容器３の長手方向軸と一致するが、ステム７が直線状ではなく、たとえば、エルボを形成する場合、これは、本発明の範囲から逸脱するものではない。
【００７４】
必要であれば、ステム７は、格納中にしごき部材６に過度に機械的応力を加えないために、しごき部材６のリップに対向して位置決めされるその部分において、環状の狭窄部を有することができる。
【００７５】
図２に示されているように、アプリケータ部材８は、ステム７における対応する筐体にそれを固定するための端部片９を有することができる。
【００７６】
アプリケータ部材８は、この筐体に任意の手段によって、具体的には圧力嵌め、スナップ留め、接着剤結合、溶着、ステープリング、または圧着によって、ステム７に固定され得る。
【００７７】
図２を参照すると、コア１０は、説明される例においては直線状である長手方向軸Ｘに沿って長細い形状を有することがわかる。長手方向軸Ｘは、例示されているように、中心にあることができる。
【００７８】
アプリケータ部材８の可視長Ｈは、たとえば、２４．５ｍｍに等しい。
【００７９】
示されている例においては、二重スパイク１８はそれぞれ、スパイク１８がコア１０に取り付けられている点において、コアの表面に垂直な延伸軸Ｗに沿ってコア１０から延びる。
【００８０】
具体的には図３においてわかるように、二重スパイク１８はそれぞれ、２つのアーム１８ａおよび１８ｂを分離する陥凹部１３を有する。
【００８１】
スパイク１８の２つのアーム１８ａと１８ｂとの間の間隔ｅｂは、１ｍｍから２．５ｍｍの間とすることができ、問題の例においては、約１．７ｍｍに等しい。
【００８２】
１つの、同じスパイク１８の２つのアーム１８ａおよび１８ｂは、説明されている例においては、同じ高さである。
【００８３】
図２においてわかるように、二重スパイク１８の高さｈｂは、コア１０の長手方向軸Ｘに沿って変動することができる。高さｈｂは、コア１０の遠位端１２に向かって減少して、容器３への挿入を容易にすることができる。この高さｈｂは、０．５ｍｍから４ｍｍの間、さらに好ましくは、０．８ｍｍから２．７５ｍｍの間とすることができる。
【００８４】
図４を参照すると、最小高さのスパイク１８のアームによって形成される包絡表面の直径φ２は、３．７５ｍｍから７．５ｍｍの間とすることができ、たとえば、約５ｍｍに等しい。最大高さのスパイク１８のアームによって形成されるアプリケータ部材８の包絡表面の直径φ１は、５ｍｍから１１ｍｍの間とすることができ、たとえば、約７．７ｍｍに等しい。
【００８５】
有利には、各スパイク１８の陥凹部１３の深さＰｅは、具体的には図３においてわかるように、前記スパイク１８の高さｈｂ未満である。
【００８６】
スパイク１８の中の陥凹部１３の深さＰｅと前記スパイク１８の高さｈｂとの間の比率Ｐｅ／ｈｂは、０．０９から０．３５の間、さらに好ましくは、約０．１１から０．３の間とすることができる。
【００８７】
各二重スパイク１８の中の陥凹部１３の深さＰｅは、０．５ｍｍから２．５ｍｍの間、さらに好ましくは、０．７ｍｍから２ｍｍの間とすることができる。
【００８８】
示されている例においては、各二重スパイク１８の中の陥凹部１３は、平坦な底部を有する。しかしながら、本発明は、陥凹部の１つの特定の形状に限定するものではない。
【００８９】
二重スパイク１８はそれぞれ、例示されているように、それらの２つのアーム１８ａおよび１８ｂを結合しており、コア１０から突出している、基部１８ｃを有する。二重スパイク１８の基部１８ｃの高さｈｃは、０．２ｍｍから２．２５ｍｍの間、さらに好ましくは、０．３ｍｍから１．６ｍｍとすることができる。
【００９０】
コア１０の長手方向軸Ｘをその中心として有しており、最大高さの基部１８ｃの上面を通る、外接円の直径φｂと、しごき部材６の中の開口部６ａの直径φａとの比率は、これらは、図５において見ることができ、０．７５から１．１５の間とすることができる。
【００９１】
問題の例においては、二重スパイク１８は、コア１０の長手方向軸Ｘを含む、平坦化平面Ｚに沿って平坦化される横断面を有する。
【００９２】
二重スパイク１８は、具体的には図４においてわかるように、側面から見て、それらの自由端２８の方向に狭窄することができる。
【００９３】
二重スパイク１８の厚さｅｐは、０．３ｍｍから０．８５ｍｍの間とすることができ、たとえば、問題の例のように、約０．５ｍｍに等しい。
【００９４】
二重スパイク１８の幅ｌｐは、１．３ｍｍから３ｍｍの間とすることができ、たとえば、約２．２ｍｍに等しい。
【００９５】
説明されている例においては、二重スパイク１８は、具体的には図２においてわかるように、複数の直線状の長手方向列１７、１９、２０に、アプリケータ部材８において配置され、スパイクの各長手方向列１７は、隣接する長手方向列１９に対して軸方向にオフセットされる。
【００９６】
１つおきの長手方向列における二重スパイク１８は、有利にはすべて、図２に例示されているように、たとえば、長手方向列１７と２０との間のコア１０の長手方向軸Ｘに沿って同じ軸位置を占める。
【００９７】
有利には、二重スパイク１８の１つの長手方向列１７と隣接する長手方向列１９との間の軸方向のオフセットＤａは、１つのスパイク１８の幅ｌｐの４分の１から４分の３の間であり、具体的には図２Ａにおいてわかるように、説明されている例における幅ｌｐのほぼ５分の２に等しい。
【００９８】
１つの、同じ長手方向列１７内では、２つの連続したスパイク１８間の間隔Ｓｐは、１ｍｍから２ｍｍの間とすることができ、たとえば、説明されている例のように、１．２ｍｍに等しい。
【００９９】
スパイク１８は、様々な形状を有することができる。問題の例においては、具体的には図４においてわかるように、二重スパイク１８のアームは、円錐形の形状を有する。各二重スパイク１８のアーム１８ａおよび１８ｂは、スパイク１８の中央平面Ｍに関して互いに対称である。各二重スパイク１８はまた、その平坦化平面Ｚに関して対称な形状を有することができる。
【０１００】
本例においては、二重スパイク１８の自由端２８は、アプリケータ部材８の包絡表面Ｓを画定し、この包絡表面Ｓは、コア１０の長手方向軸Ｘと一致している直線状の長手方向軸を有し、前記軸Ｘを中心として回転対称である。
【０１０１】
二重スパイク１８は、本例においては、熱可塑性材料を成形することによってコア１０と一体に作製される。
【０１０２】
アプリケータ部材８を成形するには、相対的に高剛性であってもまたはなくてもよい任意の熱可塑性材料、たとえば、ＳＥＢＳ、シリコーン、ラテックス、滑りを改善した材料、ブチル、ＥＰＤＭ、ニトリル、熱可塑性エラストマ、ポリエステルエラストマ、ポリアミドエラストマ、ポリエチレンエラストマ、またはビニルエラストマ、ＰＥもしくはＰＰ、ＰＶＣ、ＥＶＡ、ＰＳ、ＳＥＢＳ、ＳＩＳ、ＰＥＴ、ＰＯＭ、ＰＵ、ＳＡＭ、ＰＡもしくはＰＭＭＡなどのポリオレフィンを用いることができる。また、たとえばアルミナベースのセラミック、たとえばユリアホルムアルデヒドタイプの樹脂、および可能性としては、フィラーとしてグラフファイトを含んだ材料を使用することも可能である。具体的にはＴｅｆｌｏｎ（登録商標）、Ｈｙｔｒｅｌ（登録商標）、Ｃａｒｉｆｌｅｘ（登録商標）、Ａｌｉｘｉｎｅ（登録商標）、Ｓａｎｔｏｐｒｅｎｅ（登録商標）、Ｐｅｂａｘ（登録商標）、およびＰｏｌｌｏｂａｓ（登録商標）という商標名の下、知られている材料を使用することが可能であり、このリストは、限定的ではない。
【０１０３】
用具１を使用するには、ユーザは、クロージャキャップ５を捩じって外し、容器３からアプリケータ部材８を引き出す。
【０１０４】
一旦、アプリケータ部材８がしごき部材６を通過すると、特定の量の製品Ｐが、二重スパイク１８のアーム間と、それらの基部間とに生み出される空間に残存し、それにより、コア１０の全長に沿って、すべての側面に製品のリザーバが生まれ、製品Ｐを睫毛および／または眉毛に満足のいく形で載せることが可能になる。その上、隣接する二重スパイク１８の長手方向列間に存在する軸方向のオフセットにより、塊の形成を防いで、睫毛および／または眉毛は、満足のいく形で分離される。睫毛および／または眉毛はまた、それらがスパイク１８の中の陥凹部１３の基部に押し付けることができるので、満足のいく形でカールされ得る。
【０１０５】
もちろん、本発明は、説明したばかりの例示的な実施形態に限定するものではない。
【０１０６】
アプリケータ部材８は、振動可能であってよく、言い換えれば、たとえば、国際公開第２００６／０９０３４３号に記載されているように、製品Ｐの塗布、コーミング、または取出しの間、それに振動を加えることが可能である。
【０１０７】
さらなる変形形態においては、アプリケータ部材８は、回転可能であってよく、言い換えれば、たとえば、製品Ｐの塗布、コーミング、または取出しの間、コア１０の長手方向軸Ｘを中心として回転運動を行うように作製され得る。
【０１０８】
さらなる変形形態においては、アプリケータ部材８は、加温されてよく、言い換えれば、ケラチン繊維、睫毛および／もしくは睫毛、ならびに／またはアプリケータ部材８のスパイク１８および／もしくはコア１０を加温するための加温要素を有することが可能である。
【０１０９】
また、アプリケータ部材８は、振動可能、回転可能、および加温可能にすること、または振動可能および回転可能にのみすること、または振動可能および加温可能にのみすること、または回転可能および加温可能にのみすること、または振動可能にのみすること、もしくは回転可能にのみすること、もしくは加温可能にのみすることも可能である。
【０１１０】
アプリケータ部材８は、銀塩、銅塩、保存料、および製品Ｐについての少なくとも１つの保存料などの任意の殺菌剤を含むことができる。
【０１１１】
さらには、コア１０および／または二重スパイク１８は、粒子、たとえば、フィラー、具体的には磁気性、静菌性、または水分を吸収する化合物、そうでなければスパイク１８の表面に粗さを作り出すこと、または睫毛および／もしくは眉毛がスパイクに対して滑らかに動くのを助けることを意図した化合物を含むことができる。コア１０および二重スパイク１８のうちの少なくとも一方は、植毛加工され、または任意の熱もしくは機械的な処理を受けることが可能である。
【０１１２】
「１つを有する（ｈａｖｉｎｇ  ａ）」という表現は、「少なくとも１つを含む（ｃｏｍｐｒｉｓｉｎｇ  ａｔ  ｌｅａｓｔ  ｏｎｅ）」と同義であると理解すべきであり、「間（ｂｅｔｗｅｅｎ）」は、逆に対して指定されない限り、境界値を含んでいると理解される。
【符号の説明】
【０１１３】
１  パッケージ化／塗布用具
２  アプリケータ
３  容器
４  ねじ山付きネック
５  クロージャキャップ
６  しごき部材
６ａ  しごき開口部
７  ステム
８  アプリケータ部材
１０  コア
１１  近位端
１２  遠位端
１３  陥凹部
１７、１９、２０  長手方向列
１８  二重スパイク
１８ａ、１８ｂ  アーム
１８ｃ  基部
２８  自由端
Ｄａ  オフセット
ｄｄ  距離
ｄｔ  距離
ｅｂ  間隔
ｅｐ  厚さ
ｈｂ  高さ
ｈｃ  高さ
ｌｐ  幅
Ｐｅ  深さ
Ｓｐ  間隔
φ１  直径
φ２  直径
φａ  直径
φｂ  直径
Ｈ  可視長
Ｍ  中央平面
Ｐ  製品
Ｓ  包絡表面
Ｗ  延伸軸
Ｘ  長手方向軸
Ｙ  長手方向軸
Ｚ  平坦化平面
【図１】
2017529976.tif 000003
【図２】
2017529976.tif 000004
【図２Ａ】
2017529976.tif 000005
【図３】
2017529976.tif 000006
【図４】
2017529976.tif 000007
【図５】
2017529976.tif 000008
【国際調査報告】
2017529976.tif 000009
2017529976.tif 000010